(57)【要約】【課題】帯鋼にたいする芯線の押し付け力が弱い場合においても、ブラシ片が、帯鋼から抜けてしまうことが無く、かつ、確実に、ブラシ片を固着させることができる洗浄ブラシを提供する。【解決手段】被洗浄面に付着した塵埃等を清掃する為の洗浄ブラシあるいは鋼板等の研磨、バリ取り加工用に使用する洗浄ブラシにおいて、前記洗浄ブラシは芯体、接着層、回転軸、台座、及びブラシ片より構成されてあり、前記芯体は天然繊維あるいは合成繊維より形成されてあり、前記台座は概コの字形状の断面を有し、前記回転軸の外周にたいして軸の周りに捩りを加えて螺旋状に形成されてあり、前記接着層は少なくとも前記台座の内部に接着剤を充填されて形成されてあり、前記ブラシ片は折り込まれて前記台座及び前記芯体に挟みつけられてあると共に、前記接着層にて固着されて形成されてあるものである。【選択図】        図４
2004195171.tif 000002
【特許請求の範囲】
【請求項１】
被洗浄面に付着した塵埃等を清掃する為の洗浄ブラシあるいは鋼板等の研磨、バリ取り加工用に使用する洗浄ブラシにおいて、前記洗浄ブラシは芯体、接着層、回転軸、台座、及びブラシ片より構成されてあり、前記芯体は天然繊維あるいは合成繊維より形成されてあり、前記台座は概コの字形状の断面を有し、前記回転軸の外周にたいして軸の周りに捩りを加えて螺旋状に形成されてあり、前記接着層は少なくとも前記台座の内部に接着剤を充填されて形成されてあり、前記ブラシ片は折り込まれて前記台座及び前記芯体に挟みつけられてあると共に、前記接着層にて固着されて形成されてあることを特徴とする洗浄ブラシ。
【請求項２】
請求項１記載の構成よりなる洗浄ブラシにおいて、前記台座は、概Ｌの字形状の断面を有して形成されてあることを特徴とする洗浄ブラシ。
【請求項３】
請求項１記載の構成よりなる洗浄ブラシにおいて、前記洗浄ブラシは芯体、接着層、回転軸、及びブラシ片より構成されてあり、前記回転軸の外周に、軸の周りに捩りを加えて螺旋状に溝部が形成されてあることを特徴とする洗浄ブラシ。
【請求項４】
請求項１から３記載の構成よりなる洗浄ブラシにおいて、前記芯体は、接着剤が含浸されてあることを特徴とする洗浄ブラシ。
【請求項５】
請求項１から４記載の構成よりなる洗浄ブラシにおいて、前記芯体は、金属製の線状体が使用されてあることを特徴とする洗浄ブラシ。
【発明の詳細な説明】
【０００１】
【発明の属する技術分野】
本発明は、被洗浄面に付着した塵埃等を清掃する為の洗浄ブラシあるいは鋼板等の研磨、バリ取り加工用に使用する洗浄ブラシに関するものである。
【０００２】
【従来の技術】
従来の洗浄ブラシに関しては、様々な改良がなされ、例えば、実用新案登録第３０８８５６６号の如くの技術が開示されてある。以下、図１から図３を用いて説明する。
【０００３】
図１は、従来の洗浄ブラシを前面側から見た斜視図である。図１において、１は洗浄ブラシ、２は回転軸、３は台座、４はチャンネルブラシ、５、７は端部、８は溝部である。図２は、従来の洗浄ブラシに使用されてある回転軸及び台座を示す斜視図である。図２において、１７は端部である。図３は、従来の洗浄ブラシに使用するチャンネルブラシを示す斜視図である。図３において、９はブラシ片、６は帯鋼、１０は芯線、１８は溝部である。
【０００４】
従来の洗浄ブラシ１は、図１の如く、回転軸２、台座３及びチャンネルブラシ４より形成されてある。回転軸２は、金属製の概円筒形状であり、回転軸２の外周にたいして軸の周りに捩りを加えて螺旋状に形成されるように、台座３が固着されてある。また、台座３は、断面が外周方向にいくほど溝部８の幅が狭くなるような概コの字形状を有する長尺形状にて、形成されてある。チャンネルブラシ４は、図３の如く、ブラシ片９を中央部から芯線１０と帯鋼６にて、帯鋼６の断面が端部７の方向にいくほど、溝部１８の幅が狭くなるような概コの字形状を有するように、挟み込んで形成されてあり、図１の如く、台座３の溝部８にたいして、帯鋼６が差し込まれて装着されてある。
【０００５】
また、チャンネルブラシ４は、図１及び図２の如く、台座３の溝部８にたいして、帯鋼６を差し込んで装着された後、台座３の端部５及び端部１７をつぶしてかしめる事により、台座３からチャンネルブラシ４が脱落する事が防止されてある。
【０００６】
【発明が解決しようとする課題】
従来の洗浄ブラシ１は、上記の如く、ブラシ片９を中央部から芯線１０と帯鋼６にて折り込んで形成されたチャンネルブラシ４を、溝部８にたいして、差し込んで装着されてある。しかしながら、芯線１０と帯鋼６がブラシ片９を挟み込む時に、帯鋼６にたいする芯線１０の押し付け力が弱い場合には、ブラシ片９が、帯鋼６から抜けてしまうという現象が発生することがあった。その為、帯鋼６にたいする芯線１０の押し付け力が弱い場合においても、ブラシ片９が、帯鋼６から抜けてしまうことが無く、かつ、確実に、ブラシ片９を固着させることができる洗浄ブラシが求められていた。
【０００７】
【課題を解決するための手段】
本発明は、次のように構成したものである。
（１）被洗浄面に付着した塵埃等を清掃する為の洗浄ブラシあるいは鋼板等の研磨、バリ取り加工用に使用する洗浄ブラシにおいて、前記洗浄ブラシは芯体、接着層、回転軸、台座、及びブラシ片より構成されてあり、前記芯体は天然繊維あるいは合成繊維より形成されてあり、前記台座は概コの字形状の断面を有し、前記回転軸の外周にたいして軸の周りに捩りを加えて螺旋状に形成されてあり、前記接着層は少なくとも前記台座の内部に接着剤を充填されて形成されてあり、前記ブラシ片は折り込まれて前記台座及び前記芯体に挟みつけられてあると共に、前記接着層にて固着されて形成されてあるものである。
【０００８】
（２）上記（１）記載の構成よりなる洗浄ブラシにおいて、前記台座は、概Ｌの字形状の断面を有して形成されてあるものである。
【０００９】
（３）上記（１）記載の構成よりなる洗浄ブラシにおいて、前記洗浄ブラシは芯体、接着層、回転軸、及びブラシ片より構成されてあり、前記回転軸の外周に、軸の周りに捩りを加えて螺旋状に溝部が形成されてあるものである。
【００１０】
（４）上記（１）から（３）記載の構成よりなる洗浄ブラシにおいて、前記芯体は、接着剤が含浸されて形成されてあるものである。
【００１１】
（５）上記（１）から（４）記載の構成よりなる洗浄ブラシにおいて、前記芯体は、金属製の線状体が使用されて形成されてあるものである。
【００１２】
【発明の実施の形態】
実施の形態１
図４から図６に実施の形態１を示す。図４は、本発明の実施の形態１の洗浄ブラシを前面側から見た斜視図である。図４において、１１は洗浄ブラシ、１２は回転軸、１３は台座、１４はブラシ片、１５は芯体、１６は接着層である。図５は、図４の洗浄ブラシの断面図である。図６は、図４に使用されてある回転軸及び台座を前面側から見た斜視図である。
【００１３】
本発明の洗浄ブラシ１１は、図４及び図５の如く、芯体１５、接着層１６、回転軸１２、台座１３、及びブラシ片１４より構成されてある。芯体１５は、天然繊維あるいは合成繊維を使用して形成されてある。接着層１６は、台座１３の内部に接着剤が充填されて形成されてある。回転軸１２は、概円筒形状に形成されてあり、外周には、概コの字形状の断面を有する長尺形状に形成されてある台座１３が、軸の周りに捩りを加えて螺旋状に形成されてある。ブラシ片１４は、台座１３及び芯体１５に挟みつけられると共に、接着層１６にて固着されて形成されてある。
【００１４】
次に、洗浄ブラシ１１の製造手順を説明する。まず、図６の如く、台座１３を、回転軸１２の外周にたいして軸の周りに捩りを加えて螺旋状に固着させて形成する。台座１３の回転軸１２にたいする固着方法については、溶接、溶着、接着等の方法から使用する目的に応じて適時、設定される。次に、回転軸１２を回転させながら、台座１３の内部に、芯体１５を設置すると共に、接着剤を充填させ、芯体１５にたいして、回転軸１２の回転方向と逆方向に付勢力を加えて引張りつつ、ブラシ片１４を折り込んで、台座１３及び芯体１５に挟みつける。その後、台座１３の内部には、充填された接着剤が硬化することにより、接着層１６が形成され、ブラシ片１４は、台座１３及び芯体１５にたいして、一体的に固着される。
【００１５】
本発明の実施の形態１の洗浄ブラシ１１は、上記の如くの構成となっているので、ブラシ片１４を、台座１３及び芯体１５にたいして、一体的に固着することができる。その為、洗浄ブラシ１１の使用時に、衝撃、振動等が加わった場合であっても、ブラシ片１４が、固着された箇所から、位置ずれが発生したり、脱落することが無い。また、芯体１５は、天然繊維あるいは合成繊維を使用して形成されてある為、芯体１５にたいして、接着剤が含浸することができる。その為、台座１３及び芯体１５に挟みつけられたブラシ片１４を、挟みつけた箇所から緩ませること無く、確実に固着させることができる。さらにまた、洗浄ブラシ１１は、上記の如くの製造手順となっている為、台座１３を回転軸１２にたいして固着させる手順以外は、手作業が可能な為、例えば、内職等の手作業のみの製造場所においても、洗浄ブラシ１１の製造が可能である。
【００１６】
本発明の実施の形態１の洗浄ブラシ１１は、上記の如くの構成と、なっているが、芯体の詳細形状については、例えば、撚り糸を使用したり、複数の芯体を使用しても、何ら支障は無い。また、回転軸及び台座の材質についても、使用目的に応じて、例えば、合成樹脂を使用しても、何ら支障は無い。
【００１７】
次に、図７に実施の形態１の他の実施例を示す。図７は、本発明の実施の形態１の他の実施例の洗浄ブラシの断面図である。図７において、１４はブラシ片、１５は芯体、１９は端部、２２は回転軸、２３は台座、２６は接着層である。
【００１８】
本発明の実施の形態１の他の実施例においては、図７の如く、台座２３の端部１９が、ブラシ片１４の方向に、所定角度だけ傾斜して形成されてある。接着層２６は、台座２３の内部に接着剤が充填されて形成されてある。端部１９は、台座２３の内部に芯体１５を設置すると共に、接着剤を充填させ、ブラシ片１４を折り込んで、台座２３及び芯体１５に挟みつけた後、台座２３の外側から、内側へ曲げ込むことにより、形成される。
【００１９】
本発明の実施の形態１の他の実施例は、上記の如くの構成となっているので、ブラシ片１４を、台座２３及び芯体１５にたいして、一体的に固着することができると共に、端部１９により、ブラシ片１４を、押し付けることができる。その為、ブラシ片１４に、衝撃、振動等が加わった場合であっても、ブラシ片１４が、固着された箇所から、位置ずれが発生したり、脱落することが無いと共に、接着剤が硬化するまでの間、台座２３の外部に、漏れ出す事が無い。
【００２０】
また、図８に実施の形態１の他の実施例を示す。図８は、本発明の実施の形態１の他の実施例の洗浄ブラシを、前面側から見た斜視図である。図８において、２１は洗浄ブラシ、２２は回転軸、２４はブラシ片、２５は芯体、２７は止め金具、２８はネジ、３３は台座、３６は接着層である。
【００２１】
本発明の実施の形態１の他の実施例の洗浄ブラシ２１は、図８の如く、芯体２５、接着層３６、回転軸２２、台座３３、止め金具２７、ネジ２８及びブラシ片２４より構成されてある。芯体２５は、天然繊維あるいは合成繊維を使用して形成されてある。接着層３６は、台座３３の内部に接着剤が充填されて形成されてある。回転軸２２は、概円筒形状に形成されてあり、外周には、概コの字形状の断面を有する長尺形状に形成されてある台座３３が、軸の周りに捩りを加えて螺旋状に形成されてある。台座３３の一端は、止め金具２７にて固定されてあり、止め金具２７は、ネジ２８にて回転軸２２に固定されてある。ブラシ片２４は、台座３３及び芯体２５に挟みつけられると共に、接着層３６にて固着されて形成されてある。
【００２２】
次に、洗浄ブラシ２１の製造手順を説明する。まず、回転軸２２にたいして、ネジ２８にて止め金具２７を固着する。次に、台座３３の一端を、止め金具２７に固着する。その後、台座３３を、回転軸２２の外周にたいして軸の周りに捩りを加えて螺旋状に固着させつつ、台座３３の内部に芯体２５を設置すると共に、接着剤を充填させ、芯体２５にたいして、回転軸２２の回転方向と逆方向に付勢力を加えて引張りつつ、ブラシ片２４を折り込んで、台座３３及び芯体２５に挟みつける。その後、台座３３の内部には、充填された接着剤が硬化することにより、接着層３６が形成され、ブラシ片２４は、台座３３、及び芯体２５にたいして、一体的に固着される。
【００２３】
本発明の実施の形態１の他の実施例の洗浄ブラシ２１は、上記の如くの構成となっているので、ブラシ片２４を、台座３３及び芯体２５にたいして、一体的に固着することができる。その為、洗浄ブラシ２１の使用時に、衝撃、振動等が加わった場合であっても、ブラシ片２４が、固着された箇所から、位置ずれが発生したり、脱落することが無い。また、洗浄ブラシ２１は、上記の如くの製造手順となっている為、回転軸２２及び台座３３を、止め金具２７にて固着させる手順以外は、連続製造が可能な為、迅速に、洗浄ブラシ２１の製造をすることができる。
【００２４】
本発明の実施の形態１の他の実施例の洗浄ブラシ２１は、上記の如くの構成となっているが、回転軸２２及び台座３３の固着方法については、止め金具２７にて固着させる方法以外に、例えば、点溶接、溶着、接着等の方法を使用しても、何ら支障は無い。
【００２５】
また、図９から図１１に実施の形態１の他の実施例を示す。図９は、本発明の実施の形態１の他の実施例の洗浄ブラシを前面側から見た斜視図である。図９において、３１は洗浄ブラシ、３２は回転軸、３４、４４はブラシ片、３５、４５は芯体、４３は台座、４６、５６は接着層である。図１０は、図９に使用されてある回転軸及び台座を前面側から見た斜視図である。図１１は、図９の洗浄ブラシの断面図である。図１１において、４７、５７は幅である。
【００２６】
本発明の洗浄ブラシ３１は、図９から図１１の如く、芯体３５、４５、接着層４６、５６、回転軸３２、台座４３、及びブラシ片３４、４４より構成されてある。芯体３５、４５は、天然繊維あるいは合成繊維を使用して形成されてある。接着層４６は、台座４３の内部に接着剤が充填されて形成されてある。接着層５６は、隣接する台座４３の間に接着剤が充填されて形成されてある。回転軸３２は、概円筒形状に形成されてあり、外周には、概コの字形状の断面を有する長尺形状に形成されてある台座４３が、図１１の如く、幅５７が幅４７と等しくなるように、軸の周りに捩りを加えて螺旋状に形成されてある。ブラシ片３４は、台座４３及び芯体３５に挟みつけられると共に、接着層４６にて固着されて形成されてある。ブラシ片４４は、隣接する台座４３の間及び芯体４５に挟みつけられると共に、接着層５６にて固着されて形成されてある。
【００２７】
次に、洗浄ブラシ３１の製造手順を説明する。まず、図１０の如く、台座４３を、回転軸３２の外周にたいして軸の周りに捩りを加えて螺旋状に固着させて形成する。その時、台座４３は、図１１の如く、幅５７が幅４７と等しくなるように、設定されてある。台座４３の回転軸３２にたいする固着方法については、溶接、溶着、接着等の方法から使用する目的に応じて適時、設定される。次に、回転軸３２を回転させながら、台座４３の内部に、芯体３５を設置すると共に、接着剤を充填させ、芯体３５にたいして、回転軸３２の回転方向と逆方向に付勢力を加えて引張りつつ、ブラシ片３４を折り込んで、台座４３及び芯体３５に挟みつける。その後、台座４３の内部には、充填された接着剤が硬化することにより接着層４６が形成され、ブラシ片３４は、台座４３及び芯体３５にたいして、一体的に固着される。次に、回転軸３２を回転させながら、隣接する台座４３の間に、芯体４５を設置すると共に、接着剤を充填させ、芯体４５にたいして、回転軸３２の回転方向と逆方向に付勢力を加えて引張りつつ、ブラシ片４４を折り込んで、隣接する台座４３の間及び芯体４５に挟みつける。その後、隣接する台座４３の間には、充填された接着剤が、硬化することにより、接着層５６が形成され、ブラシ片４４は、隣接する台座４３の間及び芯体４５にたいして、一体的に固着される。
【００２８】
本発明の実施の形態１の他の実施例の洗浄ブラシ３１は、上記の如くの構成となっているので、ブラシ片３４が、台座４３の内部に形成されてあると共に、ブラシ片４４が、隣接する台座４３の間に形成されてある。その為、ブラシ片３４及びブラシ片４４は、互いに隣接して、回転軸３２の外周にたいして、軸の周りに捩りを加えて螺旋状に形成されてあるので、洗浄ブラシ３１のブラシ片３４及び４４を、互いに、隙間を形成する事無く、密集度の高い植毛をすることができる。その為、高い洗浄能力を有する洗浄ブラシ３１を、製造することができる。
【００２９】
本発明の実施の形態１の洗浄ブラシ３１は、上記の如くの構成と、なっているが、ブラシ片３４及び４４の製造手順については、例えば、ブラシ片４４を製造した後、ブラシ片３４を製造したり、ブラシ片３４及びブラシ片４４を同時に製造する方法を採用しても、何ら支障は無い。
【００３０】
実施の形態２
図１２から図１４に実施の形態２を示す。図１２は本発明の実施の形態２の洗浄ブラシを前面側から見た斜視図である。図１２において、４１は洗浄ブラシ、４２は回転軸、５３は台座、５４はブラシ片、５５は芯体、６６は接着層である。図１３は、図１２に使用されてある回転軸及び台座を前面側から見た斜視図である。図１４は、図１２の洗浄ブラシの断面図である。
【００３１】
本発明の洗浄ブラシ４１は、図１２から図１４の如く、回転軸４２、台座５３、ブラシ片５４、芯体５５、及び接着層６６より構成されてある。芯体５５は、天然繊維あるいは合成繊維を使用して形成されてある。接着層６６は、隣接する台座５３の間に接着剤が充填されて形成されてある。回転軸４２は、概円筒形状に形成されてあり、外周には、概Ｌの字形状の断面を有する長尺形状に形成されてある台座５３が、図１４の如く、台座５３が互いに隣接するように、軸の周りに捩りを加えて螺旋状に形成されてある。ブラシ片５４は、台座５３及び芯体５５に挟みつけられると共に、接着層６６にて固着されて形成されてある。
【００３２】
次に、洗浄ブラシ４１の製造手順を説明する。まず、図１３の如く、台座５３を、回転軸４２の外周にたいして軸の周りに捩りを加えて螺旋状に固着させて形成する。その時、台座５３は、図１４の如く、互いに隣接するように、設定されてある。台座５３の回転軸４２にたいする固着方法については、溶接、溶着、接着等の方法から使用する目的に応じて適時、設定される。次に、回転軸４２を回転させながら、互いに隣接する台座５３の間に、芯体５５を設置すると共に、接着剤を充填させ、芯体５５にたいして、回転軸４２の回転方向と逆方向に付勢力を加えて引張りつつ、ブラシ片５４を折り込んで、台座５３及び芯体５５に挟みつける。その後、台座５３の内部には、充填された接着剤が硬化することにより接着層６６が形成され、ブラシ片５４は、台座５３及び芯体５５にたいして、一体的に固着される。
【００３３】
本発明の実施の形態２の洗浄ブラシ４１は、上記の如くの構成となっているので、ブラシ片５４が、隣接する台座５３の間に形成されてある。その為、ブラシ片５４は、互いに隣接して、回転軸４２の外周にたいして、軸の周りに捩りを加えて螺旋状に形成されてあるので、洗浄ブラシ４１のブラシ片５４を、互いに、隙間を形成する事無く、密集度の高い植毛をすることができる。その為、高い洗浄能力を有する洗浄ブラシ４１を、製造することができる。
【００３４】
本発明の実施の形態２の洗浄ブラシ４１は、上記の如くの構成と、なっているが、台座５３の詳細形状については、使用目的に応じて、例えば、回転軸４２の外周にたいして、概波形形状あるいは概Ｖ字形状を有する凹凸形状が形成されるように設定しても、何ら支障は無い。
【００３５】
次に、図１５から図１７に実施の形態２の他の実施例を示す。図１５は、本発明の実施の形態２の他の実施例の洗浄ブラシを、前面側から見た斜視図である。図１５において、５１は洗浄ブラシ、５２は回転軸、６３は台座、６４はブラシ片、６５は芯体、７６は接着層である。図１６は、図１５に使用されてある回転軸及び台座を前面側から見た斜視図である。図１７は、図１５の洗浄ブラシの断面図である。
【００３６】
本発明の洗浄ブラシ５１は、図１５から図１７の如く、回転軸５２、台座６３、ブラシ片６４、芯体６５、及び接着層７６より構成されてある。芯体６５は、天然繊維あるいは合成繊維を使用して形成されてある。接着層７６は、隣接する台座６３の間に接着剤が充填されて形成されてある。回転軸５２は、概円筒形状に形成されてあり、外周には、所定の傾斜角度を有する概Ｌの字形状の断面を有して、長尺形状に形成されてある台座６３が、図１７の如く、台座６３が互いに隣接するように、軸の周りに捩りを加えて螺旋状に形成されてある。ブラシ片６４は、回転軸５２の長手方向にたいして、所定の傾斜角度を有して、台座６３及び芯体６５に挟みつけられると共に、接着層７６にて固着されて形成されてある。
【００３７】
本発明の実施の形態２の他の実施例の洗浄ブラシ５１は、上記の如くの構成となっているので、ブラシ片６４が、回転軸５２の長手方向にたいして、所定の傾斜角度を有して、隣接する台座６３の間に形成されてある。その為、ブラシ片６４は、互いに隣接して、回転軸５２の外周にたいして、軸の周りに捩りを加えて螺旋状に形成されてあると共に、回転軸５２の長手方向にたいして、所定の傾斜角度を有して形成されてあるので、洗浄ブラシ５１のブラシ片６４を、互いに、隙間を形成する事が無く、密集度の高い植毛をすることができると共に、ブラシ片６４が、回転軸５２の長手方向にたいして、所定の傾斜角度を有して形成されてある。その為、ブラシ片６４が、被洗浄面にたいして、所定の傾斜角度を有して接触することにより、高い洗浄能力を有する洗浄ブラシ５１を、製造することができる。
【００３８】
本発明の実施の形態２の他の実施例の洗浄ブラシ５１は、上記の如くの構成となっているが、台座６３の詳細形状については、使用目的に応じて、例えば、所定の傾斜角度を、上記図１７の如くの鋭角になるように設定したり、あるいは鈍角になるように設定しても、何ら支障は無い。
【００３９】
実施の形態３
図１８から図２０に実施の形態３を示す。図１８は、本発明の実施の形態３の洗浄ブラシを、前面側から見た斜視図である。図１８において、６１は洗浄ブラシ、６２は回転軸、７３は溝部、７４はブラシ片、７５は芯体、８６は接着層である。図１９は、図１８に使用されてある回転軸を、前面側から見た斜視図である。図１９において、２９は壁部である。図２０は、図１８の洗浄ブラシの断面図である。
【００４０】
本発明の洗浄ブラシ６１は、図１８から図２０の如く、回転軸６２、ブラシ片７４、芯体７５、及び接着層８６より構成されてある。芯体７５は、天然繊維あるいは合成繊維を使用して形成されてある。接着層８６は、隣接する壁部２９の間に接着剤が充填されて形成されてある。回転軸６２は、概円筒形状に形成されてあり、外周には、軸の周りに捩りを加えて、螺旋状に溝部７３が形成されてある。隣接する溝部７３の間には、壁部２９が形成されてある。ブラシ片７４は、溝部７３及び芯体７５に挟みつけられると共に、接着層８６にて固着されて形成されてある。
【００４１】
次に、洗浄ブラシ６１の製造手順を説明する。まず、図１９の如く、外周にたいして、軸の周りに捩りを加えて螺旋状に溝部７３が形成されるように、回転軸６２を製造する。その時、隣接する溝部７３の間には、図１９の如く、壁部２９が形成されてある。次に、回転軸６２を回転させながら、溝部７３に、芯体７５を設置すると共に、接着剤を充填させ、芯体７５にたいして、回転軸６２の回転方向と逆方向に付勢力を加えて引張りつつ、ブラシ片７４を折り込んで、溝部７３及び芯体７５に挟みつける。その後、溝部７３には、充填された接着剤が硬化することにより接着層８６が形成され、ブラシ片７４は、溝部７３及び芯体７５にたいして、一体的に固着される。
【００４２】
本発明の実施の形態３の洗浄ブラシ６１は、上記の如くの構成となっているので、ブラシ片７４が、隣接する溝部７３に形成されてある。その為、ブラシ片７４は、互いに隣接して、回転軸６２の外周にたいして、軸の周りに捩りを加えて螺旋状に形成されてあるので、洗浄ブラシ６１のブラシ片７４を、互いに、隙間を形成する事無く、密集度の高い植毛をすることができる。また、洗浄ブラシ６１は、外周にたいして、軸の周りに捩りを加えて螺旋状に溝部７３が形成されるように、回転軸６２が製造されてある為、実施の形態１及び２の如くの、台座を製造する必要が無い。その為、台座が不要で、安価に製造する事ができ、高い洗浄能力を有する洗浄ブラシ６１を、製造することができる。
【００４３】
本発明の実施の形態３の洗浄ブラシ６１は、上記の如くの構成と、なっているが、溝部７３の形状については、使用目的に応じて、例えば、回転軸６２の外周にたいして、概２条ネジ形状を形成するように設定したり、回転軸６２の中央部から外側に向かって、概Ｖ字形状を形成するように設定しても、何ら、支障は無い。
【００４４】
実施の形態４
図２１から図２３に実施の形態４を示す。図２１は、本発明の実施の形態４の洗浄ブラシを、前面側から見た斜視図である。図２１において、７１は洗浄ブラシ、７２は回転軸、８３は台座、８４はブラシ片、８５は芯体、９６は接着層である。図２２は、図２１に使用されてある芯体の断面図である。図２２において、３７は糸部、１０６は接着層である。図２３は、図２１の洗浄ブラシの断面図である。
【００４５】
本発明の洗浄ブラシ７１は、図２１から図２３の如く、芯体８５、接着層９６、回転軸７２、台座８３、及びブラシ片８４より構成されてある。芯体８５は、天然繊維あるいは合成繊維を使用した糸部３７にたいして、接着剤が含浸されて接着層１０６が形成されてある。また、接着層９６は、台座８３の内部に接着剤が充填されて形成されてある。回転軸７２は、概円筒形状に形成されてあり、外周には、概コの字形状の断面を有する長尺形状に形成されてある台座８３が、軸の周りに捩りを加えて螺旋状に形成されてある。ブラシ片８４は、台座８３及び芯体８５に挟みつけられると共に、接着層９６及び１０６にて固着されて形成されてある。
【００４６】
次に、洗浄ブラシ７１の製造手順を説明する。まず、台座８３を、回転軸７２の外周にたいして軸の周りに捩りを加えて螺旋状に固着させて形成する。次に、回転軸７２を回転させながら、台座８３の内部に、芯体８５を設置すると共に、接着剤を充填させ、芯体８５にたいして、回転軸７２の回転方向と逆方向に付勢力を加えて引張りつつ、ブラシ片８４を折り込んで、台座８３及び芯体８５に挟みつける。その後、台座８３の内部には、充填された接着剤が硬化することにより、接着層９６が形成されると共に、芯体８５に含浸されてある接着剤が硬化することにより、接着層１０６が形成され、ブラシ片８４は、台座８３及び芯体８５にたいして、一体的に固着される。
【００４７】
本発明の実施の形態４の洗浄ブラシ７１は、上記の如くの構成となっているので、ブラシ片８４を、台座８３及び芯体８５にたいして、接着層９６及び１０６にて、一体的に固着することができる。その為、洗浄ブラシ７１の使用時に、衝撃、振動等が加わった場合であっても、ブラシ片８４が、固着された箇所から、位置ずれが発生したり、脱落することが無い。また、芯体８５は、天然繊維あるいは合成繊維を使用した糸部３７にたいして、接着剤が含浸されて接着層１０６が形成されてある。その為、台座８３及び芯体８５に挟みつけられたブラシ片８４を、挟みつけた箇所から緩ませること無く、確実に固着させることができる。
【００４８】
本発明の実施の形態４の洗浄ブラシ７１は、上記の如くの構成と、なっているが、芯体８５に形成されてある接着層１０６については、例えば、芯体８５を台座８３の内部に設置しつつ、外部から、接着剤を含浸させる等の方法を使用しても、何ら支障は無い。
【００４９】
実施の形態５
図２４に実施の形態５を示す。図２４は、本発明の実施の形態５の洗浄ブラシを、前面側から見た斜視図である。図２４において、８１は洗浄ブラシ、８２は回転軸、９３は台座、９４はブラシ片、９５は芯体、１１６は接着層である。
【００５０】
本発明の洗浄ブラシ８１は、図２４の如く、芯体９５、接着層１１６、回転軸８２、台座９３、及びブラシ片９４より構成されてある。芯体９５は、金属製の線状体が使用されて形成されてある。また、接着層１１６は、台座９３の内部に接着剤が充填されて形成されてある。回転軸８２は、概円筒形状に形成されてあり、外周には、概コの字形状の断面を有する長尺形状に形成されてある台座９３が、軸の周りに捩りを加えて螺旋状に形成されてある。ブラシ片９４は、台座９３及び芯体９５に挟みつけられると共に、接着層１１６にて固着されて形成されてある。
【００５１】
次に、洗浄ブラシ８１の製造手順を説明する。まず、台座９３を、回転軸８２の外周にたいして軸の周りに捩りを加えて螺旋状に固着させて形成する。次に、回転軸８２を回転させながら、台座９３の内部に、芯体９５を設置すると共に、接着剤を充填させ、芯体９５にたいして、回転軸８２の回転方向と逆方向に付勢力を加えて引張りつつ、ブラシ片９４を折り込んで、台座９３及び芯体９５に挟みつける。その後、台座９３の内部には、充填された接着剤が硬化することにより、接着層１１６が形成され、ブラシ片９４は、台座９３及び芯体９５にたいして、一体的に固着される。
【００５２】
本発明の実施の形態５の洗浄ブラシ８１は、上記の如くの構成となっているので、ブラシ片９４を折り込んで、台座９３及び芯体９５に挟みつける時に、ブラシ片９４にたいして、芯体９５を、強く押し付けることができる。その為、位置ずれを発生させること無く、ブラシ片９４を台座９３及び芯体９５に固着させることができる。
【００５３】
【発明の効果】
以上の説明から明らかなように、本発明の洗浄ブラシは、次に示すような効果を得る事が出来る。なお、説明に当たっては、請求項の番号と同じ番号を付して説明する。
【００５４】
（１）ブラシ片を、台座及び芯体にたいして、一体的に固着することができる。その為、洗浄ブラシの使用時に、衝撃、振動等が加わった場合であっても、ブラシ片が、固着された箇所から、位置ずれが発生したり、脱落することが無い。また、芯体は、天然繊維あるいは合成繊維を使用して形成されてある為、芯体にたいして、接着剤が含浸することができる。その為、台座及び芯体に挟みつけられたブラシ片を、挟みつけた箇所から緩ませること無く、確実に固着させることができる。さらにまた、洗浄ブラシは、上記の如くの製造手順となっている為、台座を回転軸にたいして固着させる手順以外は、手作業が可能な為、例えば、内職等の手作業のみの製造場所においても、洗浄ブラシの製造が可能である。また、他の実施例として、台座の端部が、ブラシ片の方向に、所定角度だけ傾斜して形成されてある場合には、ブラシ片を、台座及び芯体にたいして、一体的に固着することができると共に、端部により、ブラシ片を、押し付けることができる。その為、ブラシ片に、衝撃、振動等が加わった場合であっても、ブラシ片が、固着された箇所から、位置ずれが発生したり、脱落することが無いと共に、接着剤が硬化するまでの間、台座の外部に、漏れ出す事が無い。また、他の実施例として、回転軸に、台座の一端を、止め金具にて固着後、台座を、回転軸の外周にたいして軸の周りに捩りを加えて螺旋状に固着させつつ、台座の内部に芯体を設置すると共に、接着剤を充填させ、芯体にたいして、回転軸の回転方向と逆方向に付勢力を加えて引張りつつ、ブラシ片を折り込んで、台座及び芯体に挟みつける製造方法を使用した場合には、ブラシ片を、台座及び芯体にたいして、一体的に固着することができる。その為、洗浄ブラシの使用時に、衝撃、振動等が加わった場合であっても、ブラシ片が、固着された箇所から、位置ずれが発生したり、脱落することが無い。また、洗浄ブラシは、上記の如くの製造手順となっている為、回転軸及び台座を、止め金具にて固着させる手順以外は、連続製造が可能な為、迅速に、洗浄ブラシの製造をすることができる。さらにまた、他の実施例として、ブラシ片が、台座の内部及び、隣接する台座の間に形成されてある場合には、互いのブラシ片が、隙間を形成する事無く、密集度の高い植毛をすることができる。その為、高い洗浄能力を有する洗浄ブラシを、製造することができる。
【００５５】
（２）ブラシ片は、互いに隣接して、回転軸の外周にたいして、軸の周りに捩りを加えて螺旋状に形成されてあるので、洗浄ブラシのブラシ片を、互いに、隙間を形成する事無く、密集度の高い植毛をすることができる。その為、高い洗浄能力を有する洗浄ブラシを、製造することができる。また、他の実施例として、所定の傾斜角度を有する概Ｌの字形状の断面を有して、長尺形状に形成されてある台座を使用した場合には、ブラシ片が、回転軸の長手方向にたいして、所定の傾斜角度を有して、隣接する台座の間に形成されてある。その為、ブラシ片は、互いに隣接して、回転軸の外周にたいして、軸の周りに捩りを加えて螺旋状に形成されてあると共に、回転軸の長手方向にたいして、所定の傾斜角度を有して形成されてあるので、洗浄ブラシのブラシ片を、互いに、隙間を形成する事が無く、密集度の高い植毛をすることができると共に、ブラシ片が、回転軸の長手方向にたいして、所定の傾斜角度を有して形成される。その為、ブラシ片が、被洗浄面にたいして、所定の傾斜角度を有して接触することにより、高い洗浄能力を有する洗浄ブラシを、製造することができる。
【００５６】
（３）ブラシ片が、互いに隣接して、回転軸の外周にたいして、軸の周りに捩りを加えて螺旋状に形成されてあるので、洗浄ブラシのブラシ片を、互いに、隙間を形成する事無く、密集度の高い植毛をすることができる。また、洗浄ブラシは、外周にたいして、軸の周りに捩りを加えて螺旋状に溝部が形成されるように、回転軸が製造されてある為、実施の形態１及び２の如くの、台座を製造する必要が無い。その為、台座が不要で、安価に製造する事ができ、高い洗浄能力を有する洗浄ブラシを、製造することができる。
【００５７】
（４）ブラシ片を、台座及び芯体にたいして、接着層にて、一体的に固着することができる。その為、洗浄ブラシの使用時に、衝撃、振動等が加わった場合であっても、ブラシ片が、固着された箇所から、位置ずれが発生したり、脱落することが無い。また、芯体は、天然繊維あるいは合成繊維を使用した糸部にたいして、接着剤が含浸されて接着層が形成されてある。その為、台座及び芯体に挟みつけられたブラシ片を、挟みつけた箇所から緩ませること無く、確実に固着させることができる。
【００５８】
（５）ブラシ片を折り込んで、台座及び芯体に挟みつける時に、ブラシ片にたいして、芯体を、強く押し付けることができる。その為、位置ずれを発生させること無く、ブラシ片を台座及び芯体に固着させることができる。
【図面の簡単な説明】
【図１】従来の洗浄ブラシを前面側から見た斜視図である。
【図２】従来の洗浄ブラシに使用されてある回転軸及び台座を示す斜視図である。
【図３】従来の洗浄ブラシに使用するチャンネルブラシを示す斜視図である。
【図４】本発明の実施の形態１の洗浄ブラシを前面側から見た斜視図である。
【図５】図４の洗浄ブラシの断面図である。
【図６】図４に使用されてある回転軸及び台座を前面側から見た斜視図である。
【図７】本発明の実施の形態１の他の実施例の洗浄ブラシの断面図である。
【図８】本発明の実施の形態１の他の実施例の洗浄ブラシを前面側から見た斜視図である。
【図９】本発明の実施の形態１の他の実施例の洗浄ブラシを前面側から見た斜視図である。
【図１０】図９に使用されてある回転軸及び台座を前面側から見た斜視図である。
【図１１】図９の洗浄ブラシの断面図である。
【図１２】本発明の実施の形態２の洗浄ブラシを、前面側から見た斜視図である。
【図１３】図１２に使用されてある回転軸及び台座を前面側から見た斜視図である。
【図１４】図１２の洗浄ブラシの断面図である。
【図１５】本発明の実施の形態２の他の実施例の洗浄ブラシを、前面側から見た斜視図である。
【図１６】図１５に使用されてある回転軸及び台座を前面側から見た斜視図である。
【図１７】図１５の洗浄ブラシの断面図である。
【図１８】本発明の実施の形態３の洗浄ブラシを、前面側から見た斜視図である。
【図１９】図１８に使用されてある回転軸を前面側から見た斜視図である。
【図２０】図１８の洗浄ブラシの断面図である。
【図２１】本発明の実施の形態４の洗浄ブラシを、前面側から見た斜視図である。
【図２２】図２１に使用されてある芯体の断面図である。
【図２３】図２１の洗浄ブラシの断面図である。
【図２４】本発明の実施の形態５の洗浄ブラシを、前面側から見た斜視図である。
【符号の説明】
１、１１、２１、３１、４１、５１、６１、７１、８１  洗浄ブラシ
２、１２、２２、３２、４２、５２、６２、７２、８２  回転軸
３、１３、２３、３３、４３、５３、６３、８３、９３  台座
４  チャンネルブラシ  ５、７、１７、１９  端部  ６  帯鋼
８、１８、７３  溝部
９、１４、２４、３４、４４、５４、６４、７４、８４、９４  ブラ
シ片  １０  芯線
１５、２５、３５、４５、５５、６５、７５、８５、９５  芯体
１６、２６、３６、４６、５６、６６、７６、８６、９６、１０６、
１１６  接着層  ２７  止め金具  ２８  ネジ  ２９  壁部
３７  糸部  ４７、５７  幅
【図１】
2004195171.tif 000003
【図２】
2004195171.tif 000004
【図３】
2004195171.tif 000005
【図４】
2004195171.tif 000006
【図５】
2004195171.tif 000007
【図６】
2004195171.tif 000008
【図７】
2004195171.tif 000009
【図８】
2004195171.tif 000010
【図９】
2004195171.tif 000011
【図１０】
2004195171.tif 000012
【図１１】
2004195171.tif 000013
【図１２】
2004195171.tif 000014
【図１３】
2004195171.tif 000015
【図１４】
2004195171.tif 000016
【図１５】
2004195171.tif 000017
【図１６】
2004195171.tif 000018
【図１７】
2004195171.tif 000019
【図１８】
2004195171.tif 000020
【図１９】
2004195171.tif 000021
【図２０】
2004195171.tif 000022
【図２１】
2004195171.tif 000023
【図２２】
2004195171.tif 000024
【図２３】
2004195171.tif 000025
【図２４】
2004195171.tif 000026